(57)【特許請求の範囲】
【請求項１】
プレプリント済みの複数頁の連続帳票から成る帳票セットに帳票セット単位のテキスト印刷を行なう連続紙印刷装置において、
前記連続帳票の残量が第１の所定長であることを検出する第１のセンサと、前記連続帳票の残量が前記第１の所定長より長い第２の所定長であることを検出する第２のセンサと、該第２のセンサが検出する所定長を記憶する第１の記憶手段と、前記帳票セットを構成する帳票の頁数を記憶する第２の記憶手段と、オペレータに警報する帳票残警報部と、オペレータからの指示を入力するパネル部を備え、
予めオペレータによって、前記パネル部から入力されたプレプリント紙の帳票セットを構成する頁数を、前記第２の記憶手段に記憶し、
前記第２のセンサが検出する第２の所定長が、前記第２の記憶手段に記憶されたプレプリント紙の帳票セットを構成する頁数から算出される長さであり、該第２のセンサが第２の所定長を検出したとき、
頁印刷毎に第２の所定長から頁長を減算して残長を求めつつ前記プレプリント済みの帳票セット最終の頁までテキスト印刷を行い、前記プレプリント済みの帳票セットの頁数分の帳票長と前記残長とを比較して、次のプレプリント済みの帳票セットへの印刷が可能か否か判定し、可なら次のプレプリント済みの帳票セットへの頁印刷を継続し、否なら前記帳票残警報部に警報を発し、次のプレプリント済みの帳票セットへの頁印刷を停止することを特徴とする連続紙印刷装置。
【請求項２】
前記帳票残警報部は、前記パネル部に含まれ、前記警報は該パネル部への表示によるものであることを特徴とする請求項１記載の連続紙印刷装置。
【発明の詳細な説明】
【技術分野】
【０００１】
本発明は、複数枚の連続帳票から成る帳票セットに帳票セット単位のテキスト印刷を行なう連続紙印刷装置に係り、特に連続帳票の最後においても帳票セット単位の印刷を行うことができる連続紙印刷装置に関する。
【背景技術】
【０００２】
一般に複数枚の連続帳票から成る帳票セットに印刷を行なう連続紙印刷装置は、例えば３枚の連続帳票で１セットを構成し、この帳票セット単位で各頁に指定されたテキスト印刷を行うものである。従来技術による連続紙印刷装置は、頁単位に帳票切れをチェックして帳票切れを検出したら帳票を排出して搬送を停止し、帳票切れをパネルに表示し、オペレータが印刷済みの帳票を除去して新たに帳票を装填すると、印刷済みの頁の次頁より継続して印刷を再開する機能を備えている。
【０００３】
この従来技術による連続紙印刷装置は、印字ヘッドの近傍に帳票を検出するセンサを設け、このセンサが帳票切れを検出していたため、複数枚の帳票から構成される帳票セットの途中で帳票切れになった場合、印刷していた連続帳票の途中で帳票セットが途切れるために、いわゆる帳票セットの泣き別れが生じていた。
【０００４】
この帳票セットの泣き別れは、帳票セットが折り畳み帳票である場合、泣き別れた前と後の頁で帳票の山谷の順序が合わず山山または谷谷となる場合があり、この泣き別れた帳票を繋げて配布するようなときは、一方の折り畳みの山谷を逆にして畳む手間が繁雑になると言う不具合や、帳票セットがプレプリントしてある帳票にテキスト印刷を行なう場合、帳票の最後に印刷された帳票頁を見て、新たに装填する帳票の帳票頁が最後に印刷された頁の次の頁になるように、帳票先頭にくる帳票頁の幾つかをカットして装填するなどの手間が繁雑になると言う不具合や、帳票セットが折り畳んでプレスしてハガキにする圧着紙などの場合、セット中途で帳票切れが発生しないよう、装填する帳票のページ枚数に印刷する業務頁数を合わせて印刷業務を実行する必要が生じると言う不具合があった。
【０００５】
この不具合を解決する手法として従来技術においては、例えば下記特許文献に記載された如く、帳票重量を測定する手段を設け、一定量の業務の境目において残りの帳票重量が次の業務分の印刷可能かどうか判断し、可能なら印刷を続け不可能なら印刷を止めて帳票セットの泣き分かれを防止する技術が提案されている。
【特許文献１】特開平７−６８８６２号公報
【発明の開示】
【発明が解決しようとする課題】
【０００６】
前記特許文献記載の連続紙印刷装置は、帳票セット枚数が極めて多量の場合は残帳票重量の検出により帳票セットの泣き別れを防止することができるものの、帳票セットが数枚の場合は微小重量差を検出することが困難であり、このため数頁の帳票セット印刷を大量に繰り返して印刷する１帳票セット内の泣き別れ摘出には不適であると言う不具合があった。
【０００７】
本発明の目的は、前述の従来技術による不具合を除去することであり、１帳票セット内の泣き別れを防止することができる連続紙印刷装置を提供することである。
【課題を解決するための手段】
【０００８】
前記目的を達成するため本発明は、複数頁の連続帳票から成る帳票セットに帳票セット単位のテキスト印刷を行なう連続紙印刷装置において、前記連続帳票の残量が第１の所定長であることを検出する第１のセンサ（用紙切れ検出部）と、前記連続帳票の残量が前記第１の所定長より長い第２の所定長であることを検出する第２のセンサ（帳票残警告部）と、該第２のセンサが検出する所定長を記憶する第１の記憶手段と、前記帳票セットを構成する帳票の頁数を記憶する第２の記憶手段と、オペレータに警報する帳票残警報部と、オペレータからの指示を入力するパネル部を備え、予めオペレータによって、前記パネル部から入力されたプレプリント紙の帳票セットを構成する頁数を、前記第２の記憶手段に記憶し、前記第２のセンサが検出する第２の所定長が、前記第２の記憶手段に記憶されたプレプリント紙の帳票セットを構成する頁数から算出される長さであり、該第２のセンサが第２の所定長を検出したとき、頁印刷毎に第２の所定長から頁長を減算して残長を求めつつ前記プレプリント済みの帳票セット最終の頁までテキスト印刷を行い、前記プレプリント済みの帳票セットの頁数分の帳票長と前記残長とを比較して、次のプレプリント済みの帳票セットへの印刷が可能か否か判定し、可なら次のプレプリント済みの帳票セットへの頁印刷を継続し、否なら前記帳票残警報部に警報を発し、次のプレプリント済みの帳票セットへの頁印刷を停止することを特徴とする。
また、前記帳票残警報部は、前記パネル部に含まれ、前記警報は該パネル部への表示によるものであることを特徴とする。
【発明の効果】
【００１０】
本発明によれば、数頁を１セットとする帳票を印刷する連続紙印刷装置において、セットの境目で印刷および搬送を停止して帳票切れを表示するため、１セットの中途で帳票の泣き別れが発生しない。従って、帳票が折り畳み帳票である場合、セット内における帳票の山谷の順序は全て正則であり、山谷を逆にして畳む手間は発生しない。プレプリントしてある帳票にテキスト印刷を行なう時、セット単位で帳票が完結しているため、新たに設定する帳票の先頭数頁をカットするなどの手間は発生しない。また、折り畳んでプレスしてハガキにする圧着紙などの場合、装填する帳票のページ枚数に印刷する業務頁を合わせて印刷業務を実行することは不要になる。
【発明を実施するための最良の形態】
【００１１】
以下、本発明による連続紙印刷装置の一実施形態を図面を参照して詳細に説明する。図１は、本実施形態の連続紙印刷装置を含む印刷システムの概略構成を示す図、図２は本実施形態の連続紙印刷装置で印刷する帳票と頁と帳票セットの関係を示す図、図３は従来技術の連続紙印刷装置の印刷制御部における処理順序を示すフローチャート、図４は本実施形態の連続紙印刷装置の印刷制御部における処理順序を示すフローチャート、図５は本実施形態の帳票搬送における用紙切れ検出部と帳票残警告部を折り畳み帳票例で示す図、図６は本実施形態の帳票搬送における用紙切れ検出部と帳票残警告部をロール紙例で示す図、図７は本実施形態での帳票における頁および帳票セット印刷事例との関係を示す図である。
＜構成の説明＞
【００１２】
本実施形態の連続紙印刷装置を含むシステム構成は、図１に示す如く、連続帳票に印字すべきテキストデータ等を送信する上位装置００１と、該上位装置００１とＬＡＮインタフェース等により接続され、後述する制御を行うデータ処理部００２と、前記上位装置００１から送られたテキストデータ等を一時的に格納するデータメモリ００３と、オペレータからの指示を入力すると共に各種状況を表示する機能をもつパネル部００４と、図示しない連続帳票に対して印刷を行う印刷部００６と、該印刷部００６に連続帳票を順次繰り出して印刷を行い、該印刷を行った帳票を集積する様に搬送する搬送部００７と、該印刷部００６の近傍に配置され、連続帳票が用紙切れになることを検出する用紙切れ検出部００９と、該用紙切れ検出部００９より前記帳票を集積している場所に近い箇所で連続帳票を検出する帳票残警告部００８とから構成される。
【００１３】
該用紙切れ検出部００９と帳票残警告部００８との位置関係は、例えば図５に示す如く、集積した連続帳票４０１を積層位置４０２から図示しない搬送機構により印刷ヘッドに搬送し、印刷を行った連続帳票を積層位置４０３に集積する形式の連続帳票印刷装置の場合、用紙切れ検出部００９を印刷ヘッドの手前近傍に配置し、帳票残警告部００８を前記印刷前の位置４０２近傍に配置するものである。
【００１４】
前記した警告部の位置関係は、図５に示すものに限られるものではなく、図６に示す如く、ロール状に巻いた連続帳票５０１をロール位置５０２から図示しない搬送機構により印刷ヘッドに搬送し、印刷を行った連続帳票をロール位置５０３に巻成する形式の連続帳票印刷装置の場合、図示の如く、用紙切れ検出部００９を印刷ヘッドの手前に配置し、帳票残警告部００８を前記印刷前のロール位置５０２近傍に配置しても良い。このような装置として、例えば、連続紙印刷装置に対して帳票を供給する前処理装置等がある。連続紙印刷装置と当該前処理装置等の間の搬送パス長は一定であり、当該前処理装置等は自身が帳票切れを検出した時、専用信号線等による通信で帳票残警告部００８に通知することにより印刷制御部００５が所定長になったことを認識することができる。また、用紙切れ検出部００９が検出する帳票切れ検出位置と帳票残警告部００８が警告要因を検出する位置との距離は、帳票パスの所定長４０４に相当し、パス上にある実際の帳票長は、たわみ等を含むため当該所定長４０４を超えるものである。
【００１５】
前記データ処理部００２は、パネル部００４が準備表示中のとき、上位装置００１が送信したデータをデータメモリ００３の受信データバッファ領域に格納する機能と、データメモリ００３の受信データバッファ領域内のデータを順次参照し、（ａ）データが帳票セット用データのとき、帳票セットの印刷データをデータメモリ００３の帳票処理領域に印刷順序に従って順次格納すると共に、その頁数と印刷処理用のポインターを格納する機能と、（ｂ）データメモリ００３の受信データ領域にあるデータがテキスト頁のとき、データメモリ００３の印刷頁バッファに順次格納していく機能と、（ｃ）データメモリ００３の印刷頁バッファがテキスト頁を蓄積するとき、データメモリ００３の帳票処理領域に帳票が格納されているなら、帳票処理領域にあるポインターが示す帳票の頁とテキスト頁をマージして印刷頁バッファに順次格納し、併せてポインターを更新していく機能と、（ｄ）データメモリ００３の印刷頁バッファを見て頁が格納済み且つパネル部００４が準備完表示中のとき、定期的に印刷制御部００５に頁印刷可能通知を発信する機能を備える。
【００１６】
前記パネル部００４は、キーと画面と制御用メモリを含み、オペレータのキー操作に従って準備完を表示する機能と、印刷制御部００５の指示に従って帳票切れを表示する機能と、表示内容やキー入力値を制御用メモリに書込み、データ処理部００２及び印刷制御部００５から制御用メモリの書込み値を読み込む機能と、オペレータがキー操作で設定した所定長４０４を制御用メモリに記憶する機能（例えばプレプリント帳票にテキスト頁印刷を行なうのに先立って、オペレータがキー操作で設定した帳票セットを構成する頁数を制御用メモリに記憶する機能）とを備える。
【００１７】
前記印刷部００６は、印刷制御部００５の指示に従ってデータメモリ００３の印刷頁バッファより受け渡した頁を搬送中の連続紙に印刷し、当該１頁の印刷を終えると、頁印刷終了を印刷制御部００５に報告する機能を有し、前記搬送部００７は、印刷制御部００５からの搬送準備の指示を受け、給紙元から排紙先に向けて帳票を搬送できる状態にした後、搬送準備を印刷制御部００５に報告し、以降、印刷制御部００５から指示があると指示された頁長分だけ帳票を搬送する機能と、印刷制御部００５から搬送停止の指示を受けたとき、搬送準備状態を解除した後、搬送停止を印刷制御部００５に報告する機能を有する。
【００１８】
用紙切れ検出部００９は、搬送中の帳票が尽きるのを光学センサにより監視し、帳票が装填中であるか帳票切れであるかを印刷制御部００５に対して報告する機能を備える。
【００１９】
本実施形態の対象となる連続帳票は、図２に示す如く、１セット分の２枚の帳票の組合せにより帳票セットを構成するものである。この連続帳票は、帳票１と帳票２の２頁を１セットとする帳票セットが繰り替えして印刷され、且つ、各々の頁に対して順次、テキスト１、２、３、・・・がマージして印刷されるものであり、図示した事例では、帳票１とテキスト１、帳票２とテキスト２、帳票１とテキスト３、帳票２とテキスト４、・・・の順に印刷され、「１帳票セット分の長さ１０２」が当該セットの帳票の「頁数×頁長１０１」に等しい関係にある。
【００２０】
本実施形態による連続帳票印刷装置は、当該連続用紙への印刷中に、帳票の残りが、「所定長１０３」＞「１帳票セット分の長さ」となる所定長１０３になったことを予め検出し、帳票セットの境目１０４で印刷を止め、そのまま帳票を搬送して帳票切れを表示する様に動作することにより、帳票１と帳票２の境目で帳票切れとせず、帳票２と帳票１の境目（帳票セットの境目）で印刷を停止するものである。
＜動作の説明＞
【００２１】
次に前述のように構成した本実施形態の連続帳票印刷装置の動作を説明する。
まず、従来技術による連続帳票印刷装置の動作は、図３に示す如く、帳票（用紙）がセットされているか否かの検出（ステップ２０１）し、準備完を表示パネルに表示（ステップ２０２）し、搬送準備（ステップ２０３）を行った後、データ処理部００２から頁印刷可能通知を受けたときに搬送部００７に搬送準備を指示し、搬送部００７から搬送準備の報告を受けて帳票の１頁毎のテキスト印刷（ステップ２０４）を行う。
【００２２】
このステップ２０４の印刷動作の詳細は、データメモリ００３の印刷頁バッファに１頁以上の頁があるときに一番古い１頁を取り出すと共に搬送部００７に印刷する頁長分の搬送指示を行い、印刷部００６に印刷指示を出して１頁を出力して前記印刷を行い、印刷部００６から１頁の印刷終了の報告を受けたときにデータメモリ００３の一番古い１頁を破棄する様に動作し、データメモリ００３の印刷頁バッファに１頁分のデータが格納されていないときは、搬送部００７を搬送停止命令を発してデータ処理部００２からの頁印刷可能通知を待ち、データ処理部００２から頁印刷可能通知を受けたとき、データメモリ００３の印刷頁バッファにある一番古い１頁を取り出して搬送部００７に印刷する頁長分の搬送指示を発すると共に印刷部００６に印刷指示を出して１頁を受け渡し、印刷部００６から１頁の印刷終了の報告を受けたときにデータメモリ００３の一番古い１頁を破棄する様に動作するものであった。
【００２３】
このステップ２０４による１頁分の印刷が終了した後に本処理は、用紙切れ検出部００９により用紙切れを検出（ステップ２０５）したとき、帳票切れを検出した位置から排紙先の位置までに至る排出用の余白分（図７に示す排出用余白長６０９に相当）だけ所定長の搬送（ステップ２０６）を行った後に、搬送部００７に搬送停止（ステップ２０７）を指示し、搬送部００７から搬送停止の報告を得たときにパネル部００４に帳票切れの表示を指示する様に動作するものであった。
【００２４】
これに対して本実施形態による連続帳票印字装置の印刷制御部００５における処理順序は、図４に示す如く、用紙切れ検出部００９により連続帳票が装着しているか否かを判定（ステップ２０１）し、未装填なら装填されるまで待ち、装填済みを検出したとき、帳票残警告部００８が警告状態に変化したことを示すフラグ（Ｆｌａｇ）を未警告状態の設定（Ｆｌａｇ＝“０”）／装置固有の所定長４０４又はパネル部００４を用いてオペレータが設定した所定長４０４をＣｌｅｎｇｔｈの設定（Ｃｌｅｎｇｔｈ＝警告後の残りの帳票長＝所定長）／データメモリ００３の帳票処理領域にある帳票セットの頁数又はパネル部００４を用いてオペレータが設定した頁数をＣｏｕｎｔに設定（Ｃｏｕｎｔ＝セット内頁数）を実行（ステップ３０１）した後、パネル部００４に準備完表示（ステップ２０２）及びデータ処理部００２から頁印刷可能の通知を受けて搬送部００７に搬送準備（ステップ２０３）を指示する。
【００２５】
この状態において、本処理手順は、搬送部００７から搬送準備の報告を受けることを契機として、最後に印刷した頁が帳票セットの最終頁（Ｃｏｕｎｔ＝“０”）か否かの判定（ステップ３０２）を行い、該ステップ３０２により最終頁でないと判定したとき（Ｎと判定したとき）、１頁分のテキスト印刷（ステップ２０４）を行った後に用紙残警報の有無を判定（ステップ３０６）し、用紙残警報がないと判定したときにはフラグが“１”か否かの判定（ステップ３０８）を行い、ここではフラグが“０”のためにステップ３１０に移行して前記Ｃｏｕｎｔから“１”を減算処理（ステップ３１０）して前記ステップ３０２に戻ることにより、帳票セット内の帳票印刷を継続する様に動作する。
【００２６】
前記ステップ３１０における減算処理（帳票セット枚数を１づつ減算して帳票セットの区切りを検出するための処理）によりＣｏｕｎｔが“０”になり帳票セットの区切りがステップ３０２により検出されたとき、本処理手順は、前記Ｃｏｕｎｔにセット内頁数を再設定（ステップ３０３）した後、フラグが“１”でないことを判定し、以降は前記ステップ２０４に移行して帳票セット内の帳票印刷を継続する。
【００２７】
即ち本実施形態による印刷処理手順は、ステップ３０２−ステップ２０４−ステップ３０６−ステップ３０８−ステップ３１０を順次実行することによって帳票セット内の各頁毎に対するテキスト印刷を順次実行し、ステップ３０２で帳票セットの区切りを検出したときにはＣｏｕｎｔ値の再設定を行って前記ステップ３０２−ステップ２０４−ステップ３０６−ステップ３０８−ステップ３１０による帳票セットのテキスト印刷を順次実行する様に動作することによって、通常印刷処理を実行する。
【００２８】
さて、ここで連続帳票印刷が進み、前記帳票残警告部００８が連続帳票の残りが所定長になったことを検出したとき、この警報があったことを前記ステップ３０６が判定し、前記フラグを“１”に設定（ステップ３０７）し、連続帳票の残長を算出しながら印刷を行う連続帳票最終残印刷処理に移行する。
【００２９】
この連続帳票最終残処理は、前記ステップ３０７に続いてステップ３０８がフラグが“１”であることを検出することにより、前記Ｃｌｅｎｇｔｈから１頁分の頁長を減算（ステップ３０９：Ｃｌｅｎｇｔｈ＝Ｃｌｅｎｇｔｈ−頁長）し、次いで前記ステップ３１０によるＣｏｕｎｔ値の減算処理を行ってからステップ３０２−３０３によるＣｏｕｎｔ値の再設定を行った後、残りの帳票長に１セットの帳票が収まるか否かの判定（ステップ３０５）を実行する。このステップ３０５は、初回では前記ステップ３０１にて設定した所定長と、２回目以降ではステップ３０９で求めた警告後の残りの帳票長と、帳票セットの頁数を印刷するのに要する長さが大きいか否かを比較（Ｃｌｅｎｇｔｈ≧セット内頁数×頁長）することによって判定される。
【００３０】
このステップ３０５において、残りの帳票長に１セットの帳票が収まると判定されたとき、本処理は、ステップ２０４により１頁分の印刷を行い、ステップ３０６−ステップ３０７−ステップ３０８−ステップ３０９−ステップ３１０を経て帳票の印刷を継続する。
【００３１】
この連続帳票最終残印刷処理において帳票印刷を続行し、前記ステップ３０５においてＣｌｅｎｇｔｈより帳票セットの頁数を印刷するのに要する長さが大きいと判定したとき、即ち帳票の残り長さが１帳票セットを印刷する長さがないと判定したとき、本処理は、用紙切れ検出部００９が用紙切れを検出するまで帳票の搬送（ステップ３１１〜３１２）を行った後、帳票が完全に排出されるまでの所定長の帳票搬送（ステップ２０６）と、帳票の搬送停止（ステップ２０７）と、用紙切れの表示（ステップ２０８）を行って処理を終了する様に動作する。尚、ステップ３０４においてＦｌａｇが“１”、即ち、帳票残警告部００８がすでに帳票残所定長を警告済みと判定したとき、直ちにステップ３１１に進むようにしても、セットの泣き分かれを回避することができる。
【００３２】
また、オペレータがパネル部００４の制御用メモリにプレプリント紙の帳票セットの頁数を予め設定し、印刷制御部００５が、データメモリ００３の帳票処理領域にある帳票セットを構成する頁数の代わりに本頁数を使用すれば、テキスト頁からなる業務データ印刷で４頁１セットのプレプリント帳票を使用した場合も、同様にして泣き別れを回避することができる。
【００３３】
次に前記実施形態による印刷処理と従来技術により印刷処理の例を図７を参照して説明する。図７は、テキスト頁のみの業務データを印刷して帳票切れになった「テキスト印刷結果」６０１と、続けて帳票を装填して印刷を継続した「テキスト印刷継続結果」６１０と、テキスト頁と帳票セットの各頁を順次マージする業務データ印刷において帳票切れとなった「帳票とテキストの印刷結果」６０２と、続けて帳票を装填して印刷を継続した「帳票とテキストの印刷継続結果」６１１である従来技術の印刷結果二例と、本実施例により、テキスト頁と帳票セットの各頁を順次マージする業務データ印刷においてセットの境目で印刷を終了した「帳票とテキストの印刷結果」６０３と、続けて帳票を装填して次のセットの先頭頁より印刷を継続した「帳票とテキストの印刷継続結果」６１２を示す図である。
【００３４】
本例は、帳票セットの頁数は帳票１〜帳票４の４頁とし、帳票１にテキスト頁１をマージして「帳票１とテキスト１」、帳票２にテキスト頁２をマージして「帳票２とテキスト２」、帳票３にテキスト頁３をマージして「帳票３とテキスト３」、帳票４にテキスト頁４をマージして「帳票４とテキスト４」という具合に印刷を行い、続いて、「帳票１とテキスト５」から「帳票４とテキスト８」の４頁という具合に印刷を行うものとする。
【００３５】
まず、従来技術においては、テキスト印刷継続結果」６０１を行う場合、装置が「テキストｎ＋３」まで印刷し、このときに用紙切れ検出部が用紙切れを検出することにより頁印刷を止めて排出用余白長６０９分だけ連続帳票を排出し、オペレータが新たに連続帳票を再装填した後に印刷を再開することにより、「テキスト印刷継続結果」６１０の如く連続帳票の装填用余白長６０６に続く頁印刷開始位置６０５から「テキストｎ＋４」の頁印刷を再開していた。同様に、「帳票とテキストの印刷結果」６０２の場合、装置が「帳票３とテキストｎ＋３」まで印刷を行い、オペレータが新たに連続帳票を再装填した後に印刷を再開することにより、「帳票とテキストの印刷継続結果」６１１の如く、頁印刷開始位置６０５から「帳票４とテキストｎ＋４」の頁印刷を再開していた。従って従来技術においては、帳票セットにテキスト印刷を行う場合は、「帳票１とテキストｎ＋１」から「帳票３とテキストｎ＋３」までの１セット分の帳票セット６１５が泣き別れると言う不具合があった。
【００３６】
これに対して本実施形態においては、「帳票とテキストの印刷結果」６０３に示す如く、帳票セット６１３〜の印刷を継続してセット印刷終了位置６１６以前において帳票残警告部００８による警告を検出し、セット印刷終了位置６１６までの頁（即ち「帳票４とテキストｎ」）までの印刷を帳票の残長を算出しながら継続し、残長が帳票セット長より短くなったことを検出したとき、印刷した頁の頁長分（符号６１７）の帳票搬送を繰り返し、最後に用紙切れ検出部による用紙切れ検出に応じて排出用余白長６０９分だけ連続帳票を排出し、新たにセットされた帳票においては「帳票１とテキストｎ＋１」より頁印刷を開始することによって、「帳票とテキストの印刷結果」６０３と「帳票とテキストの印刷継続結果」６１２を得、１セットの帳票セット６１５の泣き別れを回避することができる。
【００３７】
以上述べた如く本実施形態によれば、数頁を１セットとする帳票を印刷する連続紙印刷装置において、セットの境目で印刷および搬送を停止して帳票切れを表示するため、１セットの中途で帳票の泣き別れが発生しないため、帳票が折り畳み帳票である場合、セット内における帳票の山谷の順序は全て正則であり、山谷を逆にして畳む作業を不要とすることができる。またプレプリントしてある帳票にテキスト印刷を行なう装置においては、セット単位で帳票が完結しているため、新たに設定する帳票の先頭数頁をカットするなどの作業を不要とすることができる。また、折り畳んでプレスしてハガキにする圧着紙などを印刷する装置においては、装填する帳票のページ枚数に印刷する業務頁を合わせて印刷業務を実行することを不要とすることができる。
【図面の簡単な説明】
【００３８】
【図１】本発明の一実施形態による連続紙印刷装置を含む印刷システムの概略構成図。
【図２】本実施形態による連続紙印刷装置で印刷する帳票と頁と帳票セットの関係を示す図。
【図３】従来技術の連続紙印刷装置の印刷制御部における処理順序を示すフローチャート。
【図４】本実施形態の連続紙印刷装置の印刷制御部における処理順序を示すフローチャート。
【図５】本実施形態の帳票搬送における用紙切れ検出部と帳票残警告部を折り畳み帳票例で示す図。
【図６】本実施形態の帳票搬送における用紙切れ検出部と帳票残警告部をロール紙例で示す図。
【図７】本実施形態での帳票における頁および帳票セット印刷事例との関係を示す図。
【符号の説明】
【００３９】
００１：上位装置、００２：データ処理部、００３：データメモリ、００４：パネル部、００５：印刷制御部、００６：印刷部、００７：搬送部、００８：帳票残警告部、００９：用紙切れ検出部、１０１：頁長、１０２：帳票１セット分の長さ、１０３：所定長、１０４：境目、４０１：連続帳票、４０２：積層位置、４０３：積層位置、４０４：所定長、５０１：連続帳票、５０２：ロール位置、５０３：ロール位置、６０５：頁印刷開始位置、６０６：装填用余白長、６０９：排出用余白長、６１５：帳票セット、６１６：セット印刷終了位置。
【図１】
0004764083.tif 000002
【図２】
0004764083.tif 000003
【図３】
0004764083.tif 000004
【図４】
0004764083.tif 000005
【図５】
0004764083.tif 000006
【図６】
0004764083.tif 000007
【図７】
0004764083.tif 000008